(57)【要約】【課題】  ソケット部がプラグ部を基面として上下二段に垂直に配列された所謂２１ピンＳＣＡＲＴのようなコネクタにおいては、その形状から必然的に、上段に配置されたソケット部からプラグ部に延出するコネクトピンの導体部分の長さが長くならざるをえず、ために当該コネクタから不要電波を放射したり、外界のノイズを拾うなど、従来は十分に満足させることのできなかった電磁環境適合性（ＥＭＣ）の要求に応えうるコネクタとシールド板の組立て体を提供する。【解決手段】  コネクターの上部を覆うＬ字状折曲部を有するシールド板に、当該Ｌ字状折曲部の縁部のうち複数のグランドピンの配列位置に対応する各部分から当該グランドピンの方向にさらにＬ字状に突出する突起状の接続片を複数設けることにより、当該複数の接続片をそれぞれに対応する複数のグランドピンに接触させるようにしたコネクタとシールド板の組立て体を提供することにより、所望の電磁環境適合性（ＥＭＣ）を実現する。【選択図】  図４
2005243258.tif 000002
【特許請求の範囲】
【請求項１】
所定本数の複数のコンタクトピンと、当該各コンタクトピンのピンヘッドに対応する複数のプラグ挿入口からなる二つのソケット部と、当該各コンタクトピンの端部がプリント基板上のソケットに挿入されるプラグ部とからなり、当該二つのソケット部がプラグ部を基面として上下二段に垂直に配列され、当該各コンタクトピンは上下二段の当該各ソケット部からプラグ部に向けてやや湾曲しながら下方に延出し、かつ当該コンタクトピンのうち複数のピンがグランドピンであるコネクターと、
当該コネクターの二つのソケット部を筐体外部に表出させるための二つの開口部、および当該コネクターの上部を覆うＬ字状折曲部を有するシールド板とからなる組立て体であって、
当該シールド板に、当該Ｌ字状折曲部の縁部のうち当該複数のグランドピンの配列位置に対応する各部分から当該グランドピンの方向にさらにＬ字状に突出する突起状の接続片を複数設けることにより、当該複数の接続片をそれぞれに対応する当該複数のグランドピンに接触させるようにした上記コネクタとシールド板の組立て体。
【請求項２】
請求項１に記載の組立て体を有する電子機器。
【請求項３】
２１本のコンタクトピンと、当該各コンタクトピンのピンヘッドに対応する２１のプラグ挿入口からなる二つのソケット部と、当該各コンタクトピンの端部がプリント基板上のソケットに挿入されるプラグ部とからなり、当該二つのソケット部がプラグ部を基面として上下二段に垂直に配列され、当該各コンタクトピンは上下二段の当該各ソケット部からプラグ部に向けてやや湾曲しながら下方に延出し、かつ当該コンタクトピンのうち複数のピンがグランドピンである２１ピンコネクターと、
当該２１ピンコネクターの二つのソケット部を筐体外部に表出させるための二つの開口部、および当該２１ピンコネクターの上部を覆うＬ字状折曲部を有するシールド板とからなる組立て体であって、
当該シールド板に、当該Ｌ字状折曲部の縁部のうち当該複数のグランドピンの配列位置に対応する各部分から当該グランドピンの方向にさらにＬ字状に突出する突起状の接続片を複数設けることにより、当該複数の接続片をそれぞれに対応する当該複数のグランドピンに接触させるようにした上記２１ピンコネクタとシールド板の組立て体。
【請求項４】
請求項３に記載の組立て体を有する電子機器。
【発明の詳細な説明】
【技術分野】
【０００１】
本発明は、アースを改善するコネクタとシールド板の組立て体および当該組立て体を有する電子機器に関する。
【背景技術】
【０００２】
従来、図１ａないし図１ｂに示すように、この種のコネクタ（１）においては、コンタクトピン（図１ａの２および図１ｂの５ないし６）のいずれかがアース端子としてプリント基板（３）に半田付けされてアースされるようになっている。また、図２ａないし図２ｂに示すシールド板（４）にコネクタ（１）をビス留めで接続することにより、シールド板からアースすることも一般的である。
【０００３】
さらに特許文献１では、シールドケースに折曲圧接片部を設け、これを電子機器類の筐体に設けられたシールド板に圧接させることにより、アース接続の確実性を向上させている。
【０００４】
【特許文献１】特開平８−２０３６１７号公報
【発明の開示】
【発明が解決しようとする課題】
【０００５】
しかしながら上記の従来技術では、テレビ、ビデオ、ＤＶＤなどの電子機器において映像信号や音声信号などの入出力に使用されるコネクタであって、ソケット部がプラグ部を基面として上下二段に垂直に配列された所謂２１ピンＳＣＡＲＴのようなコネクタにおいては、図３に示すように、その形状から必然的に、上段に配置されたソケット部からプラグ部に延出するコネクトピン（５）の導体部分の長さが長くならざるをえず、ために当該コネクタから不要電波を放射したり、外界のノイズを拾うなど電磁妨害（ＥＭＩ）や耐障害性（ＥＭＳ）の悪化を阻止することは不可能であり、電磁環境適合性（ＥＭＣ）の要求を十分に満足することができなかった。
【０００６】
本発明は、所謂２１ピンＳＣＡＲＴのような上下二段式のコネクタの組立て体および当該組立て体を有する電子機器において、グランドピンのアンテナ効果を改善することにより、電磁妨害（ＥＭＩ）、耐障害性（ＥＭＳ）の改善を実現する。
【課題を解決するための手段】
【０００７】
前記の課題を解決するために、本発明に係わるコネクタとシールド板の組立て体は、所定本数の複数のコンタクトピンと、当該各コンタクトピンのピンヘッドに対応する複数のプラグ挿入口からなる二つのソケット部と、当該各コンタクトピンの端部がプリント基板上のソケットに挿入されるプラグ部とからなり、当該二つのソケット部がプラグ部を基面として上下二段に垂直に配列され、当該各コンタクトピンは上下二段の当該各ソケット部からプラグ部に向けてやや湾曲しながら下方に延出し、かつ当該コンタクトピンのうち複数のピンがグランドピンであるコネクターと、
当該コネクターの二つのソケット部を筐体外部に表出させるための二つの開口部、および当該コネクターの上部を覆うＬ字状折曲部を有するシールド板とからなる組立て体であって、
当該シールド板に、当該Ｌ字状折曲部の縁部のうち当該複数のグランドピンの配列位置に対応する各部分から当該グランドピンの方向にさらにＬ字状に突出する突起状の接続片を複数設けることにより、当該複数の接続片をそれぞれに対応する当該複数のグランドピンに接触させるようにした上記コネクタとシールド板の組立て体を提供する。（請求項１）
【０００８】
また、上記コネクターとシールド板の組立て体を有する電子機器を提供する。（請求項２）
【０００９】
２１本のコンタクトピンと、当該各コンタクトピンのピンヘッドに対応する２１のプラグ挿入口からなる二つのソケット部と、当該各コンタクトピンの端部がプリント基板上のソケットに挿入されるプラグ部とからなり、当該二つのソケット部がプラグ部を基面として上下二段に垂直に配列され、当該各コンタクトピンは上下二段の当該各ソケット部からプラグ部に向けてやや湾曲しながら下方に延出し、かつ当該コンタクトピンのうち複数のピンがグランドピンである２１ピンコネクターと、
当該２１ピンコネクターの二つのソケット部を筐体外部に表出させるための二つの開口部、および当該２１ピンコネクターの上部を覆うＬ字状折曲部を有するシールド板とからなる組立て体であって、
当該シールド板に、当該Ｌ字状折曲部の縁部のうち当該複数のグランドピンの配列位置に対応する各部分から当該グランドピンの方向にさらにＬ字状に突出する突起状の接続片を複数設けることにより、当該複数の接続片をそれぞれに対応する当該複数のグランドピンに接触させるようにした上記２１ピンコネクタとシールド板の組立て体を提供する。（請求項３）
【００１０】
また、上記２１ピンコネクタとシールド板の組立て体を有する電子機器を提供する。（請求項４）
【発明の効果】
【００１１】
以上により、シールド板に設けた複数の接続片がそれぞれに対応するコネクタの複数のグランドピンに接触するコネクタとシールド板の組立て体および当該組立て体を有する電子機器を提供することにより、所望の電磁環境適合性（ＥＭＣ）を実現することができる。
【発明を実施するための最良の形態】
【００１２】
本発明によるコネクタとシールド板の組立て体について、テレビ、ビデオ、ＤＶＤなどの電子機器において映像信号や音声信号などの入出力に使用される所謂２１ピンＳＣＡＲＴのような上下二段式のコネクタ（図１ａないし図１ｂ）を例にして、その具体的な実施例を詳細に説明する。図４において、二本の破線（１０）は、上下二段式コネクタの上段に配置されたソケット部からプラグ部に向けて下方に延出するコネクトピンのうちグランドピンをそれぞれ表わしている。２１ピンＳＣＡＲＴの場合、欧州仕様のピン配列を例にあげれば、音声信号用の２５番ピンと映像信号用の３８番ピンがそれぞれグランドピンの役割を果たしている。また、シールド板（９）には、コネクタ上部を覆うＬ字状折曲部の縁部から当該グランドピンの方向にさらにＬ字状に突出する突起状の接続片（１１）を二つ設けることにより、各接続片の先端とコネクタの二本のグランドピンとの接触部（１２）が形成されることを表わしている。
【００１３】
これにより、コネクタの二本のグランドピンがシールド板に新たに設けられた上記接続片と導通するため、各グランドピン（１０）のソケット部のピンヘッドとプラグ部のピン先端との間の電位差が無視しうるほどに小さくなり、その結果、コネクタの上段ソケット部から延出するグランドピン（１０）のアンテナ効果の改善により、当該コネクタから不要電波を放射したり、外界のノイズを拾うなどの電磁妨害（ＥＭＩ）や耐障害性（ＥＭＳ）の悪化を阻止することが可能となり、所望の電磁環境適合性（ＥＭＣ）の要求を満たすことができる。
【００１４】
次に、上記実施例に関して、図４に示す接続片（１１）とグランドピン（１０）との接触部（１２）の具体的な構造を説明する。図６ａには、先端が二股に分岐した馬蹄形の形状をなす接続片（１１）の先端部の間隙にグランドピンを嵌合する方法により接続片（１１）とグランドピン（１０）とを接触せしむる例が示されている。
【００１５】
また、図６ｂには、接続片端部とグランドピンの接合部を半田付けすることにより、接続片（１１）とグランドピン（１０）とを接触せしむる例が示されている。なお、接続片（１１）とグランドピン（１０）の接触方法については、本実施例に説明した方法に限定されるものではない。
【００１６】
本実施例においては２１ピンＳＣＡＲＴを例にとって説明したが、本発明における組立て体を構成するコネクタは２１ピンＳＣＡＲＴに限定されるものではない。
【図面の簡単な説明】
【００１７】
【図１ａ】コネクタの正面図。
【図１ｂ】コネクタの側面図。
【図２ａ】従来のシールド板の背面図。
【図２ｂ】従来のシールド板の側面図。
【図３】従来のシールド板とコネクタとの組立て体におけるコネクトピンとシールド板の関係を示す模式図。
【図４】本発明の実施例を説明する模式図。
【図５ａ】図４に示す実施例に係わるシールド板の背面図。
【図５ｂ】図４に示す実施例に係わるシールド板の側面図。
【図５ｃ】図４に示す実施例に係わるシールド板の斜視図。
【図６ａ】図４に示す実施例に係わる接続片とグランドピンとの接触部の一例。
【図６ｂ】図４に示す実施例に係わる接続片とグランドピンとの接触部の一例。
【符号の説明】
【００１８】
１  コネクタ
２  コンタクトピン
３  プリント基板
４  従来のシールド板
５  上段に配置されたソケット部から延出するコネクトピン
６  下段に配置されたソケット部から延出するコネクトピン
７  コネクタの上段ソケット部
８  コネクタの下段ソケット部
９  本発明に係わるシールド板
１０  上段に配置されたソケット部から延出するグランドピン
１１  接続片
１２   接続片とグランドピンの接触部
【図１ａ】
2005243258.tif 000003
【図１ｂ】
2005243258.tif 000004
【図２ａ】
2005243258.tif 000005
【図２ｂ】
2005243258.tif 000006
【図３】
2005243258.tif 000007
【図４】
2005243258.tif 000008
【図５ａ】
2005243258.tif 000009
【図５ｂ】
2005243258.tif 000010
【図５ｃ】
2005243258.tif 000011
【図６ａ】
2005243258.tif 000012
【図６ｂ】
2005243258.tif 000013